(57)【要約】【課題】長期間の使用によっても塵芥掻き揚げの性能、吸引力、及び塵芥回収の性能を維持することで、清掃効率を維持することができるものであり、また、機構が簡易であり、長期間の使用に耐えうると共に比較的安価たりうる清掃機及び清掃ブラシを提供すること。【解決手段】本発明の清掃機は、回転軸１と、回転軸１の周方向に周間隔を開けて軸断面視略放射状に設けられたブラシ毛２と、を有する清掃ブラシＢを備えた清掃機であって、前記清掃ブラシＢは、ブラシ毛２のブラシ半径ｒを伸長させるブラシ毛伸長機構を有することを特徴とする。【選択図】図３
2005131111.tif 000002
【特許請求の範囲】
【請求項１】
回転軸と、この回転軸の周方向に周間隔を開けて軸断面視略放射状に設けられたブラシ毛と、を有する清掃ブラシを備えた清掃機であって、前記清掃ブラシは、ブラシ半径を伸長させるブラシ毛伸長機構を有することを特徴とする清掃機。
【請求項２】
前記ブラシ毛伸長機構は、ブラシ毛の根を横臥させるように押止する押止体を、回転軸の周面に取り外し可能に固定してなる請求項１記載の清掃機。
【請求項３】
前記押止体は、回転軸に対して任意の周角度で周着する円筒板に、ブラシ毛の根を挿通するブラシ用孔を設けたものからなり、回転軸に対する円筒板の周角度をずらしてブラシ毛の根を横臥させるものとする請求項２記載の清掃機。
【請求項４】
清掃機に備えられて回転する回転軸と、この回転軸の周面から周間隔を開けて軸断面視略放射状に設けられたブラシ毛と、ブラシ半径を伸長させるブラシ毛伸長機構と、を有してなり、このブラシ毛伸長機構は、ブラシ毛の根を横臥させるように押止する押止体を、予め回転軸の周面に着脱自在に固定してなる清掃ブラシ。
【発明の詳細な説明】
【技術分野】
【０００１】
本発明は、それ自体が回転することで清掃面を清掃する清掃ブラシ、及びこれを備えた清掃機に関するものである。
【背景技術】
【０００２】
高速で回転して清掃面から異形物を掻き揚げる回転式の清掃ブラシとして、回転軸１´周りの周方向の略均等角度毎に、且つ回転軸１´の軸長方向に亘るようにしてブラシ毛２´が設けられた回転ブラシがある。かかる回転ブラシは、回転軸１´を清掃面と略並行とし、且つブラシ毛２´の先端が常に清掃面と接するようにして、自走式或いは手押し式で進行する清掃機に設けられる。特に、例えば図６のように、ブラシ毛２´の回転軸１´を清掃機の幅方向として高速回転させながら進行するような清掃機であれば、進行する清掃機の幅方向の塵芥を連続的に掻き揚げることができる。このような清掃機は、比較的広い清掃面を効率的に清掃することができるため、例えば、路面の粉塵清掃や芝面の刈草、枯れ草等の清掃に適している。
【０００３】
しかし、清掃時には回転軸１´を一定高さとしたままブラシ毛２´が清掃面を高速で掻き続けるため、長期間の使用によって、図６に示すようにブラシ端が磨耗して、ブラシ半径ｒ´は元のブラシ半径ｒ´０から短くなってしまう。このような状態では、ブラシ毛２´の先端と清掃面との隙間ｇ´１が生じてしまい、塵芥を掻き揚げることができず清掃できなくなるという問題があった（図６）。
【０００４】
上記問題に関して、従来、進行方向左右を回転軸とする回転ブラシを備えた清掃機本体と、その進行方向前方で清掃面と接する進行ローラーと、この進行ローラーの回転軸位置を清掃機本体に対して上下に可変させる機構と、を備えた清掃機が存在した（例えば、特許文献１参照）。これは、進行ローラーの枢支枠の縦立部分を螺合構造によって伸縮させ、進行ローラーの回転軸位置を上下にずらすことで、清掃面に対する清掃機本体の傾きを調節する機構である。清掃面と回転ブラシとの距離を近づけることで、例えば図６に示すような、磨耗して短くなったブラシ毛２´と清掃面との隙間ｇ´１を無くし、もって、長期間の使用によっても塵芥を掻き揚げることができるようにしたものである。
【０００５】
他に、従来、回転ブラシの軸の位置を清掃機本体に対して上下移動させる機構を備えた清掃機が存在した（例えば、特許文献２、特許文献３参照）。この機構は、回転ブラシを、連結アームにて揺動可能に支持すると共に、この連結アームを操作レバーと連結したものである。この操作レバーによって、回転ブラシを清掃面たる路面へ降ろすことで、例えば図６に示すような、磨耗して短くなったブラシ毛２´と清掃面との隙間ｇ´１を無くし、塵芥を掻き揚げることができるようにしたものである。
【０００６】
しかし、これら従来の清掃機はいずれも、高速回転する回転ブラシと、清掃機本体の前方ブラシ枠と、で構成される吸引口にて、塵芥を吸引するものである。このため、使用によってブラシ毛が磨耗し短くなった回転ブラシは、下方の清掃面との隙間ｇ´１だけでなく、前方ブラシ枠との隙間ｇ´２が大きくなり、吸引口が大きくなるために吸引力が低下してしまう。そして、前記従来のように回転ブラシ位置の上下位置を調節するだけでは、長期間の使用によって清掃効率が低下することとなる。
【０００７】
また、回転ブラシの後方ブラシ枠の内部上方には、例えば図６に示すように、軸断面後方にてブラシ端に接触するスクレーバーＳ´が設けられている。これは、一旦掻き揚げてブラシ毛に付着した塵芥を、さらに清掃機の内部へと払い落とし、清掃機の内部へ回収するものである。これによりスクレーバーは、塵芥が付着したままの回転ブラシの回転を防止し、新たな塵芥を掻き揚げる塵芥掻き揚げ性能を維持すると共に、一旦掻き揚げた塵芥が再び清掃面に落ちることを防止する塵芥回収の機能を果たす。
【０００８】
しかし、前記従来の清掃機はいずれも、使用によって磨耗して短くなったブラシ毛と後方のスクレーバーＳ´との隙間ｇ´３が生じてしまい、回転ブラシに接触しないスクレーバーは機能を果たさなくなってしまう。つまり、従来の上下方向の回転ブラシ位置の上下調節機構のみでは、長時間ないし長期間の使用によって、ブラシ毛に付着したままの塵芥が溜まり、新たな塵芥を掻き揚げる塵芥掻き揚げの性能が劣るどころか、一旦掻き揚げた塵芥が再び清掃面に落ちてしまう。ひいては、清掃機の塵芥回収の性能が極端に低下することとなる。
【０００９】
これに対して、前記従来のいずれかの回転ブラシ位置の上下方向調節機構に加えて、更に前方ブラシ枠および後方ブラシ枠内のスクレーバーを清掃機本体に対して可動式とし、それぞれの位置の前後方向調節機構を設けることも考えられる。つまり、長期間の使用によって短くなったブラシ毛と接触するように、回転ブラシの清掃面との隙間ｇ´１、清掃機本体に対する前方ブラシ枠との隙間ｇ´２、清掃機本体に対するスクレーバーＳ´との隙間ｇ´３をそれぞれ全て調節可能とし、清掃効率を維持することも考えられる。
【００１０】
しかし、回転ブラシの上下調節機構に加えてこのような前後方向調節機構を前方及び後方ブラシ枠に備えたものとすれば、可動箇所の増加によって位置調節の機構が複雑となり、長期間の使用に耐えることが出来ず容易に壊れてしまうもの、或いは強度を確保すべく高価なものとなる。特にこのような、高速回転ブラシにて様々な粉塵を纏めて掻き揚げる清掃機は、連続運転によって比較的広範囲の清掃を高頻度で行うような使用態様が多いため、長期間の過酷な使用に耐えうる簡易な構造によることが重要となる。このため、回転ブラシ位置の上下方向、前方ブラシ枠およびスクレーバーの前後方向全ての調節機構を備えた清掃機は、決して実用的なものとはいえなかった。
【特許文献１】特開２００２−８１０３３号公報
【特許文献２】特開２０００−１７５５６３号公報
【特許文献３】特開平１０−１７８８９５号公報
【発明の開示】
【発明が解決しようとする課題】
【００１１】
そこで、本発明は、長期間の使用によっても塵芥掻き揚げの性能、吸引力、及び塵芥回収の性能を維持することで、清掃効率を維持することができるものであり、また、機構が簡易であり、長期間の使用に耐えうると共に比較的安価たりうる清掃機及び清掃ブラシを提供することを課題とする。
【課題を解決するための手段】
【００１２】
（１）すなわち、本発明の清掃機は、回転軸１と、回転軸１の周方向に周間隔を開けて軸断面視略放射状に設けられたブラシ毛２と、を有する清掃ブラシＢを備えた清掃機であって、前記清掃ブラシＢは、ブラシ毛２のブラシ半径ｒを伸長させるブラシ毛伸長機構を有することを特徴とする。
【００１３】
このようなものであれば、使用により磨耗して短くなったブラシ毛２のブラシ長２ｌを伸長させることで、ブラシ毛２の先端が描く回転円軌跡の半径であるブラシ半径ｒを、元の大きさｒ０へと拡径することができる。
【００１４】
これによって、ブラシ毛２と清掃面との隙間ｇ１を無くすと同時に、前方ブラシ枠との隙間ｇ２の拡大を防止し、また同時に、スクレーバーＳとの隙間ｇ３を無くすことができる。もって、ブラシ毛２の、清掃面に対する塵芥掻き揚げの性能を維持し、同時に吸引口に関する吸引力を維持し、また同時に、スクレーバーＳの機能による塵芥回収の性能を維持することができる。
【００１５】
また、前方ブラシ枠ＦＦ及び後方のスクレーバーＳに関する前後方向の調節機構が不要になると共に、前記従来の清掃機のような、清掃ブラシＢに関する上下方向の位置調節機構を不要としうる。よって、長期間の使用に耐えることが出来、容易に壊れることがない簡易な構造による清掃機を、安価なものとして得ることが可能となる。
【００１６】
ここで、本発明におけるブラシ半径ｒとは、回転する清掃ブラシのブラシ端が描く回転円軌跡の半径を言う。
【００１７】
（２）また、本発明の清掃機は、前記ブラシ毛伸長機構が、ブラシ毛２の根を横臥させるように押止する押止体３を、回転軸１の周面に取り外し可能に固定してなるものとすることができる。
【００１８】
このようなものであれば、使用前に予めブラシ半径ｒの伸びしろを確保するという簡易な機構によって、磨耗後のブラシ毛２の伸長が可能となる。
【００１９】
ここで、使用前は、押止体３の固定という簡易な手段によって、容易にブラシ長２ｌを短いものへと調節しておくことができる。また使用後には、押止体３を取り外すという簡易な機構解除手段によって、先端が磨耗したブラシ毛２を容易に、且つ確実に一定の長さだけ伸長させることができる。
【００２０】
これにより、ブラシ毛伸長機構を、より安価で丈夫なものとして得ることができる。また、ブラシ長２ｌが長い（磨耗前の）とき、短い（磨耗後の）ときのいずれにおいても、ブラシ半径ｒが容易に変わることなく維持され、長時間の清掃によっても塵芥掻き揚げの性能が劣ることは無い。
【００２１】
ここで、ブラシ毛２の根とは、回転軸１の周面から放射状に設けられたブラシ毛２の先端までに至る部分（すなわち、回転軸１表面からの略放射状の突出構造部分と、ブラシ毛２とからなる部分）のうち、塵芥の掻き揚げを行うために有効なブラシ毛２の先端部分を除いた部分を言う。
【００２２】
（３）また、本発明の清掃機は、前記押止体３が、回転軸１に対して任意の周角度で周着する円筒板３１に、ブラシ毛２の根を挿通するブラシ用孔３１ｈを設けたものからなり、回転軸１に対する円筒板３１の周角度をずらしてブラシ毛２の根を横臥させるものとすることができる。
【００２３】
このようなものであれば、回転軸１に対する円筒板３１の周角度をずらすという容易な調節作業によって、回転軸１の軸長方向および周方向に設けられた全てのブラシ長２ｌを、略等距離だけ伸長させることができる。また、回転軸１に対する円筒板３１の周着という簡易な具体的機構によって、より安価で実用的なものとしてブラシ毛伸長機構を得ることができる。さらに押止体３が円筒板３１であるから、押止体３への塵芥の付着や絡みが生じにくいものとなる。
【００２４】
（４）或いは、本発明の清掃ブラシＢは、清掃機に備えられて回転する回転軸１と、この回転軸１の周面から周間隔を開けて軸断面視略放射状に設けられたブラシ毛２と、ブラシ半径ｒを伸長させるブラシ毛伸長機構と、を有してなり、このブラシ毛伸長機構は、ブラシ毛２の根を横臥させるように押止する押止体３を、予め回転軸１の周面に着脱自在に固定してなることを特徴とする。
【００２５】
このような、予めブラシ毛２を短縮させた清掃ブラシＢを清掃機に備えて使用すれば、ブラシ毛２が磨耗した後も、ブラシ長２ｌを元の長さへ伸長させ、使用前のブラシ半径ｒ０に戻すことができる。よって、ブラシ毛２の塵芥掻き揚げの性能を維持し、同時に吸引の機能を維持し、また同時に、スクレーバーの塵芥回収の機能を維持することができる。
【００２６】
更に、押止体３を「着脱自在に」すなわち「取り外し及び再取り付け可能に」固定したことから、ブラシ半径ｒだけでなく、ブラシ長２ｌ、清掃面に対するブラシ毛２の先端の接触長、およびこれらに応じて可変する接触角度を調節し、塵芥掻き揚げの強さをはじめとする、必要に応じた清掃能力を得ることができる。
【発明の効果】
【００２７】
本発明は、上述のような構成としたことで、清掃ブラシに対する、清掃面、前方ブラシ枠、及び後方ブラシ枠のスクレーバーの、それぞれの位置の調節を容易に行うことができ、長期間の使用によってブラシ毛が磨耗して短くなった後にも、塵芥掻き揚げの性能、吸引力、及び塵芥回収の性能を維持し、清掃効率を維持することができると共に、機構が簡易であり、丈夫で安価な清掃機及びこれに備えられる清掃ブラシを得ることができる。
【発明を実施するための最良の形態】
【００２８】
以下、本発明を実施するための最良の形態を、実施例として示す各図と共に説明する。図１ないし図５に、清掃ブラシＢを備えた本発明の清掃機の実施例１を示す。
【００２９】
図１は、実施例１の清掃機の使用状態を示す側面説明図である。図２は、実施零１の清掃機に備えられる清掃ブラシＢの平面説明図である。図３は、実施例１の清掃機を使用した結果、磨耗によりブラシ毛２が短くなった使用状態を示す側面説明図である。図４は、図３のような状態になった後に、磨耗により短くなったブラシ毛２を伸長させた使用状態を示す側面説明図である。図５は、図４と同様の使用状態を示す別断面位置における側面説明図であり、図１の部分拡大図である。尚、図６は、従来の清掃機の状態例を模式的に示す説明図である。
【実施例１】
【００３０】
本発明の清掃機は、後述する清掃ブラシＢを、清掃面と略並行の軸廻りに高速回転可能として備えた清掃機である。
【００３１】
清掃機は、図１で示すように、その進行方向前方から順に、前方回転ローラーＷＦ、前方ブラシ枠ＦＦ、清掃ブラシＢ、後方ブラシ枠ＦＲ、スクレーバーＳ、後方回転ローラーＷＲ、塵芥貯留タンクＣ及び排気口ＣＶを備える。
【００３２】
この清掃機は、清掃ブラシＢの高速回転と、用途に応じて備える吸引モーター（図示せず）とによって、吸引気流を発生させる。この吸引気流と清掃ブラシＢとによって塵芥を掻き揚げて、前方ブラシ枠ＦＦから塵芥を吸引する。また、後方ブラシ枠ＦＲに設けたスクレーバーＳにて、ブラシ毛２に付着した塵芥を塵芥貯留タンクＣへ払い落として吸引する。尚、吸引気流は、塵芥貯留タンクＣの上方の排気口ＣＶから排気される。
【００３３】
前方及び後方回転ローラーＷＦ、ＷＲは、清掃機の幅方向に亘って伸びてなる長尺の転動輪である。これは、清掃ブラシＢの前後にて清掃面を整えながら清掃ブラシＢを進行させると共に、清掃機を支え、清掃ブラシＢの高さを一定のものに維持するものである。
【００３４】
実施例では、前方回転ローラーＷＦを枢支する枢支枠の縦立部分に設けた螺合構造ＷＦ１によって、前方回転ローラーＷＦを清掃機本体に対して上下方向に調節可能なものとしている。これによって、清掃機本体の傾きを調節することで、ブラシ毛２のブラシ端と清掃面との隙間ｇ１を微調節することが可能となる。
【００３５】
前方ブラシ枠ＦＦは、清掃ブラシＢの前方から両端の一部までを覆う、略三方枠からなる。具体的には、清掃ブラシＢの回転軌跡に沿う湾曲板と、その両端にて折曲して連なる平面板とからなる。また、その下端は清掃面と近接し、三方枠の下端と、清掃ブラシＢのブラシ毛２の先端とで吸引口を形成する。前方ブラシ枠ＦＦは、高速回転する清掃ブラシＢを前方から保護すると共に、塵芥を吸引する吸引口を形成し、また、掻き揚げた塵芥を塵芥貯留タンクＣへと誘導する塵芥回収経路を形成するものである。
【００３６】
後方ブラシ枠ＦＲは、清掃ブラシＢの後方を覆う湾曲板を有してなり、高速回転する清掃ブラシＢを後方から保護するものである。
【００３７】
スクレーバーＳは、後方ブラシ枠ＦＲの内部上方において、その先端が清掃ブラシＢのブラシ毛２と常に接するように設けられる。このように、清掃ブラシＢの上部後方にて、高速回転するブラシ毛２と接することで、一旦掻き揚げてブラシ毛２に付着した塵芥を清掃機内に払い落として回収する。すなわちスクレーバーＳは、ブラシ毛２に塵芥が付着したままとなることを防ぎ、新たな塵芥を掻き揚げる塵芥掻き揚げ性能を維持する。また、一旦掻き揚げた塵芥をブラシ毛と分離させ、清掃機内へ回収すると共に塵芥が清掃面に戻されることを防止し、もって塵芥回収機能を維持するものである。
【００３８】
そして、本発明の清掃ブラシＢは、少なくとも一の周方向へ回転するように清掃機に備えられる回転軸１と、この回転軸１の周面から周間隔を開けて軸断面視略放射状となる方向に、且つ軸長方向に亘って連続的に設けられたブラシ毛２と、ブラシ半径ｒを伸長させるブラシ毛伸長機構と、を有する。更に、本実施例においては、ブラシ毛伸長機構に加えて、ブラシ半径ｒを短縮させるブラシ毛短縮機構をも有するものとしている。
【００３９】
回転軸１は、少なくとも一の周方向へ回転するように清掃機に備えられる。具体的には、清掃面と略並行に、且つ、清掃機の進行方向に対して左右幅方向へ伸びるようにして、両端付近で回動可能に保持される。またその端部から、少なくとも一の周方向へ回転するように動力が与えられる。
【００４０】
回転軸１が清掃時に高速回転する周方向は、好ましくは、側面視にて清掃機の進行方向と反対の周方向であり、進行方向に対していわゆるアッパー回転となる。例えば、図１、３、および４のような左側面視において、左向きの進行方向と反対方向たる右廻り（図１の曲線矢印で示す周方向）に回転する。これにより清掃ブラシＢは、その下方から前方にかけて掻き揚げ及び吸引を連続して行う。
【００４１】
ブラシ毛２は、回転軸１の周面から周間隔を開けて軸断面視略放射状となる方向に設けられる。実施例では、図１、３、４に示すように、回転軸１へ直接植設される。直接植設されることで、使用時の外圧によってもブラシ毛２の実質的な長さすなわちブラシ長２ｌを確実に維持することが可能となる。
【００４２】
また、ブラシ毛２は、図２に示すように、数本ないし十数本のブラシ毛２からなるブラシ毛群を複数群、回転軸１の軸長方向に亘って、連続的に設けたものからなる。ここで、隣り合うブラシ毛群は、回転軸１に対する周角度（すなわち植設位置の位相角）をわずかずつ同一方向にずらしながら、回転軸１の周面にて軸長方向に亘って螺旋状に並ぶように固定される。これにより、より多くのブラシ毛２が連続的に設けられ、清掃面において、回転軸１の軸長に対応する清掃幅の左右一方向から順に、塵芥の細かな掻き揚げが行われることとなる。
【００４３】
ブラシ長２ｌは、ブラシ毛２のうちブラシ機能を果たす実質的な長さを意味する。
【００４４】
ブラシ半径ｒとは、回転する清掃ブラシＢが回転することでブラシ端が描く、回転円軌跡の半径を言う。これは、実施例１の各図に示すように、回転中心からブラシ端までの距離である。
【００４５】
ブラシ端は、ブラシ毛２の先端である。これは、常に清掃面に接して塵芥を掻き揚げる主たる機能を果たす部分であると共に、後方ブラシ枠ＦＲの上部でスクレーバーＳと接して、ブラシ毛２に付着した塵芥が払い落とされる部分である。ブラシ毛２の先端は、高速で清掃面と接触するため、長時間ないし長期間の使用によって磨耗する。
【００４６】
ブラシ毛２の根とは、回転軸１の周面から放射状に設けられたブラシ毛２の先端までに至る部分のうち、塵芥の掻き揚げを行うために有効なブラシ毛２の先端部分を除いた残部分を言う。ここで、回転軸１の周面から放射状に設けられたブラシ毛２の先端までに至る部分とは、具体的には、回転軸１の表面から突出してブラシ毛２を保持固定する固定構造とブラシ毛２とからなる部分を意味する。
【００４７】
実施例においては、固定構造が回転軸１の内部に設けられ、回転軸１の表面からは、ブラシ毛２のみが突出してなる。この場合には、突出するブラシ毛２からなる部分を言う。尚、ブラシ毛２のみが突出してなることで、比較的長いブラシ長２ｌとなり、当りの比較的柔らかい柔軟性に優れたブラシ毛２を得ることができる。
【００４８】
ブラシ毛２は清掃面を高速且つ高圧力で連続的に掻き揚げ、しかも清掃ブラシＢは長時間連続使用されることが多い。このため、ブラシ毛２の固定構造は、使用時の衝撃外力によっても、ブラシ長２ｌ及び固定角度が容易に変わらないだけの耐圧性を有する。また、清掃ブラシＢの高速回転により摩擦熱が生じるため、ブラシ毛２及びその固定構造は、耐熱性に優れるものである。
【００４９】
しかして、ブラシ毛伸長機構は、ブラシ半径ｒを伸長させるものであり、後述の押止体３を、予め回転軸１の周面を覆うようにして、少なくとも取り外し可能に固定してなる。より具体的には、ブラシ毛伸長機構は、押止体３たる円筒板３１と、この円筒板３１を回転軸１に対して任意の周角度で周着させる周着構造４と、からなる。そして、ブラシ毛伸長機構は、予め回転軸１に対する円筒板３１の周角度をずらしてブラシ毛２の根を同一の周方向に横臥させた上で、周着構造４により円筒板３１を周着させるものである。
【００５０】
このような押止体３の周着によるブラシ毛伸長機構であれば、既存の（ブラシ長が可変しない）清掃ブラシＢを利用して、この回転軸１に固定することで、極めて安価にブラシ毛伸長機構を備えた清掃ブラシＢ及び清掃機を得ることができ、実用性の高いものとなる。
【００５１】
同一の周方向に横臥させることで、ブラシ毛２の断面視放射角度は、横臥させた同一の周方向側へと一様に傾斜する。これにより、ブラシ毛２の清掃面への接触角度や接触長が一様に可変する。また、ブラシ半径ｒだけでなく、実質的にブラシとしての掻き揚げ機能を果たすブラシ毛２の実長、すなわちブラシ長２ｌも可変する。
【００５２】
ブラシ毛短縮機構は、前記押止体３を、回転軸１の周面へ再取り付け可能に固定してなるものである。
【００５３】
ブラシ毛伸長機構及びブラシ毛短縮機構を有することは、換言すれば、ブラシ半径ｒを伸縮させる（伸長させ短縮させる）ブラシ毛伸縮機構を有することを意味する。具体的には、このブラシ毛伸縮機構は、前記押止体３を回転軸１の周面に取り外し及び再取り付け可能に、すなわち「着脱自在に」固定してなるものである。
【００５４】
このように、ブラシ毛伸長機構に加えてブラシ毛短縮機構をも備えたものは、ブラシ毛２を伸長させることに加え、必要に応じてブラシ毛２のブラシ長２ｌを短縮させることができる。そして、押止体３の、ブラシ毛２の根の同一の周方向への横臥と相俟って、ブラシ長２ｌ（ブラシ毛２のうちブラシ機能を果たす実質的な長さ）、ブラシ毛２の清掃面への接触長、およびこれらに応じて可変する接触角度を自在に調節することが可能となる。もって、塵芥掻き揚げの強さ等の必要に応じた清掃能力を得ることができる。
【００５５】
押止体３は、ブラシ毛２の根のうち任意の区間或いは任意の箇所を、回転軸１の周面に近づくように押止することで、ブラシ毛２の根を同一の周方向に横臥させるものである。具体的には、押止体３は、回転軸１の周面を覆う円筒板３１からなり、この円筒板３１には、ブラシ毛２の根を挿通するブラシ用孔３１ｈが設けられる。
【００５６】
特に、ブラシ毛２の根を横臥させる周方向は、等しく回転軸１の回転方向と逆の回転方向である。この周方向へ横臥させるものであれば、ブラシ毛２の先端は回転方向の後方寄りに傾斜するため、清掃面に接する距離が長くなる。もって、より多くの塵芥を確実に掻き揚げることができる。また、清掃面やブラシ毛２をむやみに損傷させないものとなる。
【００５７】
円筒板３１は、円弧状断面を有する複数の円弧板３１ｂを組み合わせてなる。各円弧板３１ｂは互いに同一形状であり、ブラシ毛２の固定部分に合わせて、回転軸１の軸長方向へ螺旋状に伸びる。互いの円弧板３１ｂは、ブラシ用孔３１ｈに相当する隙間を開けて、全体として略円筒を形成するように連結固定される。円弧板３１ｂの内周には、後述の嵌合構造４２たる嵌合溝が、周方向に間隔を開けて複数、設けられる。また、複数の円弧板３１ｂのうち一の円弧板３１ｂは、後述の周着構造４たる押圧螺子４１を螺挿するための螺挿孔を、軸長方向両端付近に有する。
【００５８】
ブラシ用孔３１ｈは、ブラシ毛２の固定位置に沿うように、軸長方向へ螺旋状に連なる連窓状のものとして、円筒板３１に設けられる。そして、このブラシ用孔３１ｈは、ブラシ毛２の根たる、一または複数のブラシ毛２群の回転軸１への固定部分を挿通するものである。実施例においては、円筒板３１を形成する複数の円弧板３１ｂ同士の隙間によって形成される。ブラシ用孔３１ｈの周縁はブラシ毛２の根を包囲するように覆い、円筒板３１を周方向にずらしたとき、このブラシ用孔３１ｈの周縁にてブラシ毛２群を横臥させる。横臥させたブラシ毛２が引っかかることのないように、ブラシ用孔３１ｈの周縁は、曲線で形成されることが好ましい。
【００５９】
周着構造４は、円筒板３１を回転軸１に対して任意の周角度で、少なくとも取り外し可能に周着させるものである。具体的には、円筒板３１を螺挿して回転軸１に圧着固定する複数の押圧螺子４１と、円筒板３１の周角度を決める嵌合構造４２とからなる。この周着構造４について、少なくとも取り外し可能に周着させるものであれば、予め周着させた円筒板３１を、使用してブラシ毛２が磨耗した後に取り外すことで、元のブラシ長２ｌへとブラシ毛２を伸長させることができる。より好ましくは、着脱自在に、すなわち、取り外し可能且つ再取り付け可能に周着させる構造とするものである。着脱自在とすれば、前述のブラシ毛短縮機構をも備えたものとなる。また、ブラシ毛２の伸長の操作を誤った場合に円筒板３１を周着し直して、任意のブラシ長へと戻すことができる。
【００６０】
押圧螺子４１は、頭部側面に滑り止めの連続溝を設けたものとしている。また頭部端面にドライバー溝を設けたものとすることもできる。これらは押圧螺子４１の押圧固定及び固定解除の作業を容易とする。
【００６１】
嵌合構造４２は、円筒板３１の内周及び回転軸１の周面にそれぞれ設けられた、少なくとも一の嵌合突起と、これに嵌合する複数の嵌合溝と、からなる構造である。嵌合突起及び嵌合溝は、円筒板３１の内周及び回転軸１の周面のいずれに設けても良い。これは、円筒板３１の周角度をずらした際に容易に周角度の大きさを段階的に認識できるようにするものである。また、周着した円筒板３１の周角度が容易にずれないようにして、ブラシ長２ｌが容易に可変しないようにするものである。
【００６２】
特に、清掃ブラシＢの使用中のブラシ毛２は、高速で清掃面と接して連続的に高圧の衝撃がかかるものであるため、ブラシ長２ｌを維持して、使用中に容易に可変しないようにすることが必要である。このため、より確実な嵌合構造４２とすべく、嵌合突起及び嵌合溝は、軸長方向に伸びるように設けられることが好ましい。或いは、複数の嵌合構造４２を設けることが好ましい。複数本の嵌合溝または嵌合突起は、軸断面視にて周方向に間隔を開けて設けられる。
【００６３】
この他、嵌合突起は、押圧螺子４１によるものとすることもでき、更に嵌合溝は、押圧螺子４１に螺合する螺合溝を設けたものとすることもできる。
【００６４】
上記のような構成とした清掃ブラシＢ及び清掃機は、以下のようにして使用する。
【００６５】
先ず、清掃ブラシＢの使用開始前は、円筒板３１が、ブラシ毛２の根を横臥するように押止した任意の周角度となるように、円筒板３１を回転軸１に対して周方向にずらす。この周角度における嵌合位置を嵌合構造４２の嵌合によって確認した上で、押圧螺子４１を捩じ込んで、円筒板３１を回転軸１に周着させる。このようにして、ブラシ半径ｒを予め短く設定して、これを元の長さとして使用開始する。
【００６６】
そして、長時間ないし長期間の使用によってブラシ毛２の先端が磨耗した場合には、押圧螺子４１を緩めて円筒板３１の周着を解除した後、回転軸１に対する円筒板３１の周角度を前述の使用開始前と逆方向にずらして、ブラシ毛２の根の横臥を一部ないし全部解除する。これによりブラシ毛２を伸長させて、ブラシ半径ｒを、予め設定していた元の長さ、すなわち磨耗前たる使用開始時のブラシ半径ｒ０へと戻すことができる。このようにして、ブラシ毛２の先端の回転軌跡により形成されるブラシ半径ｒを、ブラシ毛２の磨耗の有無に拘らず、元のブラシ半径ｒ０に維持することができる。そして、回転ブラシの清掃面との隙間ｇ１、前方ブラシ枠ＦＦとの隙間ｇ２、スクレーバーＳとの隙間ｇ３を全て同時に調節し、容易に維持することができる。
【００６７】
また、円筒板３１の回転軸１に対する周角度が任意のものとなるように円筒板３１をずらすことで、清掃面に対するブラシ毛２の接触角度や接触長を、必要に応じて調節することができる。
【００６８】
その他、各部の具体的な構成は、上述した実施例に限定されるものでなく、本発明の趣旨を逸脱しない範囲で種々の変形が可能である。
【産業上の利用可能性】
【００６９】
このようにして得られた清掃ブラシ及びこれを備えた清掃機は、特に、芝生面に残存する枯れ草類や路面上の塵埃を比較的広範に掃き上げるために用いることが好ましい。但し清掃ブラシに関しては、この用途の他、ブラシ毛の磨耗が生じうる回転式清掃ブラシとして、金属、非鉄金属、ガラス板等の表面の研磨、洗浄や、他に例えば、プッシャー型連続炉等における付着物の除去等、種々の利用可能性を有する。
【図面の簡単な説明】
【００７０】
【図１】本発明の実施例１の清掃機の使用状態を示す側面説明図である。
【図２】実施例１の清掃ブラシの平面説明図である。
【図３】実施例１の清掃機を使用した結果、磨耗によりブラシ毛が短くなった使用状態を示す側面説明図である。
【図４】実施例１の清掃機を使用した結果、磨耗により短くなったブラシ毛を伸長させた使用状態を示す側面説明図である。
【図５】実施例１の清掃機を使用した結果、磨耗により短くなったブラシ毛を伸長させた使用状態を示す側面説明図である。
【図６】従来の清掃機を使用した結果、磨耗によりブラシ毛が短くなった使用状態を示す側面説明図である。
【符号の説明】
【００７１】
１  回転軸
２  ブラシ毛
３  押止体
３１  円筒板
３１ｈ  ブラシ用孔
Ｂ  清掃ブラシ
ｒ  ブラシ半径
【図１】
2005131111.tif 000003
【図２】
2005131111.tif 000004
【図３】
2005131111.tif 000005
【図４】
2005131111.tif 000006
【図５】
2005131111.tif 000007
【図６】
2005131111.tif 000008